(57)【要約】【課題】  耳かきの耳かき部に、耳の中の表面を傷つけやすいバリなどがあっても、このバリなどを被覆して、安全で快適な耳かきが行えるようにする。【解決手段】  耳かき棒３の先部に形成した耳かき部６に、一端が開口し、他端が閉塞された有底筒状の被覆部材７を、その開口側から耳かき部に嵌合して備え、かつ、該被覆部材７を軟質材料で形成する。【選択図】        図２
2005111102.tif 000002
【特許請求の範囲】
【請求項１】
耳かき棒の先部に形成した耳かき部の外面を軟質材料からなる被覆部材で被覆したことを特徴とする耳かき。
【請求項２】
耳かき棒の先部に形成した耳かき部に、一端が開口し、他端が閉塞された有底筒状の被覆部材を、その開口側から耳かき部に嵌合して備え、かつ、該被覆部材を軟質材料で形成したことを特徴とする耳かき。
【請求項３】
前記被覆部材を合成樹脂で形成した請求項１又は２記載の耳かき。
【請求項４】
前記被覆部材をシリコンで形成した請求項１又は２記載の耳かき。
【請求項５】
前記耳かき棒にライトの光を通して耳かき部から発光させるライト付耳かきであって、前記被覆部材を透明な材料で形成した請求項１乃至４のいずれかに記載の耳かき。
【発明の詳細な説明】
【技術分野】
【０００１】
本発明は耳かきに関する。
【背景技術】
【０００２】
従来、耳かきにおいて、木製、竹製、合成樹脂製の耳かきが知られている。
また、合成樹脂製の耳かきであって、把手部内に電池を収納するとともに発光ダイオードを収納し、使用時に発光ダイオードを点燈して耳かき棒の先端から発光させるようにしたものも知られている（特許文献１）。
【特許文献１】特開２００２−３３０８９０号公報
【発明の開示】
【発明が解決しようとする課題】
【０００３】
前記従来の木製、竹製の耳かきにおいては、その耳かき部（先端部）が、ささくれることがあり、また、合成樹脂製の耳かきにおいては、その耳かき部（先端部）に製造の際に金型合わせ面によるバリが出ることがあり、これらの、ささくれやバリによって耳かきの際に耳の穴の表面を傷付けるおそれがある。また、前記のバリを取る仕上げ加工を完全に行うことは加工に手間がかかり、また、バリが完全に除去されていない場合には耳の穴の表面を傷つけるおそれがある。
そこで本発明は、前記の問題を解消する耳かきを提供することを目的とするものである。
【課題を解決するための手段】
【０００４】
前記の課題を解決するために、請求項１の発明は、耳かき棒の先部に形成した耳かき部の外面を軟質材料からなる被覆部材で被覆したことを特徴とするものである。
【０００５】
請求項２の発明は、耳かき棒の先部に形成した耳かき部に、一端が開口し、他端が閉塞された有底筒状の被覆部材を、その開口側から耳かき部に嵌合して備え、かつ、該被覆部材を軟質材料で形成したことを特徴とするものである。
【０００６】
請求項３の発明は、請求項１又は２の発明において、前記被覆部材を合成樹脂で形成したものである。
【０００７】
請求項４の発明は、請求項１又は２の発明において、前記被覆部材をシリコンで形成したものである。
【０００８】
請求項５の発明は、請求項１乃至４のいずれかに記載の発明において、前記耳かき棒にライトの光を通して耳かき部から発光させるライト付耳かきであって、前記被覆部材を透明な材料で形成したものである。
【発明の効果】
【０００９】
本発明によれば、耳かき部の外面を軟質材料からなる被覆部材で被覆したので、耳かきを合成樹脂で製造した場合に耳かき部にバリがあっても、そのバリが被覆部材で被覆され、耳かきの際には、この被覆部材が耳の穴の表面に接触する。したがって、従来のようなバリによって耳の穴の表面を傷つけることを防止し、柔かい被覆部材によって安全で快適な耳かきが行える。
【００１０】
また、このように耳かき部にバリがあっても支障がないことは、製造時において耳かき部のバリを完全に除去する手間を省略でき、耳かきの製造が容易になる。
また、耳かきが木製や竹製の場合で、その耳かき部に、ささくれがあっても、被覆部材で被覆することにより、耳の穴の表面を傷つけることを防止できる。
【００１１】
更に、被覆部材をシリコンで形成すると、この被覆部材が耳の穴の表面に接触しても無害で安全である。
更に、ライト付耳かきであって、被覆部材を透明な材料で形成することにより、耳かき部から発した光が被覆部材を透過するため、耳の穴の表面を照らして耳かきを行うライト付き耳かきの機能を阻害することがない。
【発明を実施するための最良の形態】
【００１２】
本発明を実施するための最良の形態を図に示す実施例に基づいて説明する。
図の実施例は合成樹脂で形成されたライト付耳かきに本発明を適用した実施例である。
耳かき１は本体部２と耳かき棒３とからなり、これらは透光性材料、例えば透明な合成樹脂で一体に成形されている。本体部２にはカバー４が取り外し可能に備えられている。更に、本体部２にはスイッチ５が設けられている。
【００１３】
前記本体部２とカバー４で構成される内部には図示しない電池及び照明燈である発光ダイオードが収納されており、スイッチ５をオン操作することにより発光ダイオードが点燈して、その光が耳かき棒３内を通過して耳かき棒３の先部に形成した耳かき部６から発光するようになっている。このようなライト付耳かきの構造は前記特許文献１と同様である。
【００１４】
前記耳かき部６の外面は被覆部材７で被覆されている。該被覆部材７は図１及び図３に示すように、一端に開口部７ａを有し、他端が半球状の底部７ｂで閉塞された有底筒状（キャップ状）のチューブにより形成されている。更に、該被覆部材７は、伸縮性のある軟質合成樹脂を用いて、外周面にバリが生じない成形方法により形成されている。更に、該被覆部材７の被覆前の内径φは、耳かき部６の外径よりも若干小さい径に設定され、該被覆部材７を耳かき部６に挿入嵌着する際には、被覆部材７が外方へ伸びて挿入され、嵌着後はその復元力によって耳かき部６の形状に沿って圧着するようになっている。
【００１５】
更に、前記被覆部材７は実施に際して、硬度約５０度のシリコンを使用し、その厚さは約０．５ｍｍに設定した。更に、ライト付耳かきに使用することから被覆部材７を透光性を有する透明なシリコンで形成した。
【００１６】
前記被覆部材７を耳かき部６に装着する際には、図１に示すように被覆部材７の開口部７ａ側を耳かき部６の先端に対向させ、その被覆部材７を、図２、図４に示すように耳かき部６に押し嵌める。これにより、その被覆部材７は耳かき部６の外面を被覆するとともに、その復元力によって耳かき部６の外形に沿った形状となり、被覆部材７の外面が耳かき可能な形状になる。更に、被覆部材７は耳かき部６に圧着して強固に保持される。
【００１７】
したがって、仮に硬い合成樹脂製の耳かき部６に成形上でのバリがあっても、そのバリが被覆部材７で被覆される。
前記のように被覆部材７により耳かき部６を被覆した状態で耳かきを行うと、軟質の被覆部材７により耳かきを行うことになり、耳の穴の表面を傷つけることがなく安全に、かつ、快適な耳かきが行える。
【００１８】
そのため、耳かき部６に製造上でのバリがあっても、また、バリが完全に除去されていない場合にも、耳の穴の表面を傷つけるおそれはないことから、バリを完全に除去する必要はなく、耳かき部６の製造が容易になる。
【００１９】
また、実施例のように被覆部材７をシリコンで形成すると人体に対して無害で安全である。
更に、実施例のように、ライト付耳かきに本発明を適用する場合には、被覆部材７を透光性を有する透明材料で形成することにより、該被覆部材７が、耳かき部６からの外部への発光を妨げず、耳の穴の中を照らして耳かきをすることができる。
【００２０】
なお、前記実施例は、合成樹脂製の耳かきに本発明を適用した例であるが、前記の被覆部材７を木製の耳かきや竹製の耳かきの耳かき部に被覆してもよい。この木製や竹製の耳かき部にささくれ部があっても、これが被覆部材７で被覆され、前記と同様に安全な耳かきが行える。
【００２１】
更に、前記の被覆部材７は、ゴム系の軟質材であってもよく、また、ライト付耳かき以外の耳かきに適用する場合には不透明な材料であってもよい。
更に、本発明をライト付耳かき以外の通常の耳かきに適用してもよい。
【図面の簡単な説明】
【００２２】
【図１】本発明の実施例を示すもので、耳かきと被覆部材を分離した状態の斜視図。
【図２】図１に示す被覆部材を耳かきの耳かき部に嵌合した状態を示す側面図。
【図３】図１における被覆部材の嵌合前の状態を示す拡大側断面図。
【図４】図３に示す被覆部材を耳かき部に嵌合した状態の拡大側断面図。
【符号の説明】
【００２３】
１    耳かき
２    本体部
３    耳かき棒
５    スイッチ
６    耳かき部
７    被覆部材
【図１】
2005111102.tif 000003
【図２】
2005111102.tif 000004
【図３】
2005111102.tif 000005
【図４】
2005111102.tif 000006